(57)【要約】      （修正有）【課題】極めて簡単な構造で組立て及び分解が容易で、且つ耐久性に優れるとともに携帯性及び保管性に優れ、安価に生産可能なかつらスタンドを提供する。【解決手段】支柱状の本体１０と、本体１０の上部に設けられかつらが載置されるかつら受け部１２と、本体１０の下部に設けられた脚部１４とから構成されるものであって、吸湿機能及び脱臭機能を有するシリカゲルカートリッジ５００を着脱自在となるよう設けた。【選択図】図１
0003226393.tif 000002
【実用新案登録請求の範囲】
【請求項１】
支柱状の本体と、
この本体の上部に設けられかつらが載置されるかつら受け部と、
上記本体の下部に設けられた脚部とから構成されるものであって、
吸湿機能及び脱臭機能を有する吸湿脱臭カートリッジを着脱自在となるよう設けたことを特徴とするかつらスタンド。
【請求項２】
上記吸湿脱臭カートリッジは、上記かつら受け部に着脱自在に設けたことを特徴とする請求項１記載のかつらスタンド。
【請求項３】
上記吸湿脱臭カートリッジは複数個設けられ、その内少なくとも一つは載置される上記かつらの後頭部側に位置するよう上記かつら受け部に設けたことを特徴とする請求項１または請求項２記載のかつらスタンド。
【請求項４】
上記吸湿脱臭カートリッジは、吸湿機能及び脱臭機能を有するシリカゲルを内包する袋体を着脱自在に装着することを特徴とする請求項１、請求項２または請求項３記載のかつらスタンド。
【請求項５】
上記吸湿脱臭カートリッジには、その表面部と裏面部を貫通する通気口部が穿設されていることを特徴とする請求項１、請求項２、請求項３または請求項４記載のかつらスタンド。
【請求項６】
上記吸湿脱臭カートリッジは、上記かつら受け部に吊架するよう設けたことを特徴とする請求項１、請求項２、請求項３、請求項４または請求項５記載のかつらスタンド。
【考案の詳細な説明】
【技術分野】
【０００１】
本考案は、かつらに付着した臭気や湿気を解消するかつらスタンド、特に簡単な構造で取扱い性に優れた乾燥除湿機能及び脱臭機能を備えたかつらスタンドに関する。
【背景技術】
【０００２】
従来、かつらを長時間装着して使用していると、人体からの汗や脂分或いは外部環境の影響により湿気や臭気を帯び、悪臭を発生することがあった。また、かつらの劣化の要因にもなっていた。
【０００３】
下記特許文献１には、フェルト状に形成した繊維状活性炭を内包するかつら用脱臭具が開示されている。このものにあっては、かつらの内面に取り付けてかつらを装着することで、汗や脂による臭気を吸着し異臭の発散防止を図るものである。
【０００４】
下記特許文献２には、かつら等の脱臭・除菌対象物を載置する載置台と、空気中の酸素からオゾンを生成するオゾン生成手段と、このオゾン生成手段により生成されたオゾンを含んだ空気を載置台に開設された吹出口から吹き出させる送風手段である送風ファンとを備えて、載置台は略半球状に形成されているかつら等の脱臭・除菌装置が開示されている。このものにあっては、このように構成することで、かつら等の脱臭・除菌対象物の脱臭・除菌を簡単に効果的に行うようにしたものである。
【０００５】
下記特許文献３には、かつらを収納して運搬または保管するためのかつら収納ケースに於いて、内部を消臭する手段が設けられたかつら収納ケースが開示されている。このものにあっては、消臭手段として内面に付着した細粒のトルマリンを用いて、収納されるかつらに付着した汗等の臭いを除去し、常に悪臭のしない清潔な状態を保持することができるので、使用者はかつら及びケースを快適に使用することができるようにしたものである。
【０００６】
下記特許文献４には、平面形状が正方形である通気性不織布で作られるベースと、ベース上に接着シールされる複数のポケットを有するプラスチックフィルムを有し、各ポケットは乾燥剤が充填される乾燥剤収納部と、脱臭剤が充填される脱臭剤収納部とを形成し、隣接する乾燥剤収納部と脱臭剤収納部の間に設けられる折り曲げ用のスリットと、ベースの四隅近傍に設けられる差し込み用のスリットを備えるかつら用脱臭乾燥用具が開示されている。このものにあっては、このように構成することで、装着時の発汗等で発生する蒸れや臭気に対して内側から脱臭と乾燥を行い、かつらを常時良好な状態に維持するようにしたものである。
【０００７】
下記特許文献５には、処理容器上部よりかつらを洗浄するためのオゾン温水をシャワー化して注ぎ、かつらを洗浄殺菌消臭する装置であって、オゾン発生部と水循環器からのオゾンを含んだ温水により洗浄殺菌消臭し、洗浄に使用した水はパイプを通じて処理槽内に送り出す水循環器により再利用し、さらに洗浄後はオゾンを含んだ空気と加熱部を通した温風により乾燥ができるような機能を設けたかつら洗浄殺菌消臭乾燥装置が開示されている。このものにあっては、かつら等を利用者が使用しないときに、かつらを洗浄して殺菌乾燥させることができるだけではなく、かつら使用後に水洗浄をしなくてもかつらを収容してスイッチを押せば、翌朝かつらの使用時にはオゾン含有の送風のみでも清潔になったかつら等を利用できるというものである。
【先行技術文献】
【特許文献】
【０００８】
【特許文献１】実開昭５４−１３９５７号公報
【特許文献２】実用新案登録第３０６７６５３号公報
【特許文献３】特開２００１−３２１８号公報
【特許文献４】特許第３８１３８９９号公報
【特許文献５】特開２００７−１６３６０号公報
【考案の開示】
【考案が解決しようとする課題】
【０００９】
上述したように、かつらを長時間装着して使用していると、湿気や臭気を帯び、悪臭を発生することがあった。また、劣化の要因にもなっていた。
【００１０】
特許文献１に開示されたかつらかつら用脱臭具は、かつらの内面に取り付けてかつらを装着することになり、装着者は違和感や不快感を覚える可能性が高く、また装着時のかつらの形状のみならず耐久性にも悪影響を及ぼす虞があるものである。さらに、このものにあっては、湿気対策は考慮されてないものである。
【００１１】
特許文献２に開示されたかつら等の脱臭・除菌装置は、比較的大掛かりで複雑な構造を呈し、取り扱い性の面や経済性の面で難があるものである。また、このものにあっては、湿気対策を考慮してないものである。
【００１２】
特許文献３に開示されたかつら収納ケースは、トルマリンをケースの内面に付着させる必要がある。また、消臭機能の経年劣化もある。さらに、このものにあっては、湿気対策を考慮してないものである。
【００１３】
特許文献４に開示されたかつら用脱臭乾燥用具は、特殊な構造を呈し、取り扱い性の面や経済性の面で難があり、実用的なものとは言い難いものである。
【００１４】
特許文献５に開示されたかつら洗浄殺菌消臭乾燥装置は、汚れたかつらを簡単に洗浄殺菌消臭乾燥させるためのものであるが、比較的大掛かりで複雑な構造を呈し、取り扱い性の面や経済性の面で難があるものである。
【００１５】
近時、簡単な構造で且つ軽くて取扱い性に優れるとともに、携帯性及び保管性に優れるコンパクトなかつらスタンドの提供が要望され続けている。しかしながら、その要望を充分満たすようなものは試行錯誤の状況であるのが実情である。特に、コンパクトで乾燥除湿機能及び脱臭機能を兼ね備えたものが存在しないのが実情である。
【００１６】
本考案は上記事情を考慮してなされたもので、上述不具合を解消し、簡単な構造で取扱い性に優れ、携帯性及び保管性にも優れた乾燥除湿機能及び脱臭機能を備えたかつらスタンドを提供することを目的とする。
また、本考案は、経済性の面でも優れ、安価に生産することが可能な実用的な乾燥除湿機能及び脱臭機能を備えたかつらスタンドを提供することを目的とする。
【課題を解決するための手段】
【００１７】
本考案は、上記目的を達成するために以下の通りの構成とすることを特徴とする。
【００１８】
（１）  支柱状の本体と、この本体の上部に設けられかつらが載置されるかつら受け部と、上記本体の下部に設けられた脚部とから構成されるものであって、吸湿機能及び脱臭機能を有する吸湿脱臭カートリッジを着脱自在となるよう設けた構成としたことを特徴とする。
【００１９】
（２）  上記（１）の構成にあって、上記吸湿脱臭カートリッジは、上記かつら受け部に着脱自在に設けた構成としたことを特徴とする。
【００２０】
（３）  上記（１）または（２）の構成にあって、上記吸湿脱臭カートリッジは複数個設けられ、その内少なくとも一つは載置される上記かつらの後頭部側に位置するよう上記かつら受け部に設けた構成としたことを特徴とする。
【００２１】
（４）  上記（１）、（２）または（３）の構成にあって、上記吸湿脱臭カートリッジは、吸湿機能及び脱臭機能を有するシリカゲルを内包する袋体を着脱自在に装着する構成としたことを特徴とする。
【００２２】
（５）  上記（１）、（２）、（３）または（４）の構成にあって、上記吸湿脱臭カートリッジは、その表面部と裏面部を貫通する通気口部が穿設された構成としたことを特徴とする。
【００２３】
（６）  上記（１）、（２）、（３）、（４）または（５）の構成にあって、上記吸湿脱臭カートリッジは、上記かつら受け部に吊架するよう設けた構成としたことを特徴とする。
【００２４】
上記構成によれば、シンプルな構造で取扱い性に優れ、携帯性及び保管性にも優れた乾燥除湿機能及び脱臭機能を備えたかつらスタンドを提供することができるものである。
また、上記構成によれば、シンプルな構造ゆえ経済性にも優れ、安価に生産することが可能な乾燥除湿機能及び脱臭機能を備えたかつらスタンドを提供することができるものである。
【００２５】
さらに、上記構成によれば、かつらの形態に影響を及ぼすことなく安定してかつらを載置できるとともに、通気性もよく衛生面でも優れるものである。加えて、実用的で有用なものである。
【考案の効果】
【００２６】
本考案によれば、簡単な構造で取扱い性に優れ、携帯性及び保管性にも優れた乾燥除湿機能及び脱臭機能を備えたかつらスタンドを提供できるという実用的に優れた効果を奏する。
また、本考案によれば、安価に生産することが可能な乾燥除湿機能及び脱臭機能を備えたかつらスタンドを提供できるという経済面及び生産面でも有用で優れた効果を奏する。
【図面の簡単な説明】
【００２７】
【図１】本考案の一実施形態に係わるかつらスタンドを台座に装着した状態で全体の概略構成を示す斜視図である。
【図２】同実施形態に係わり、かつらスタンドの支柱の組立て前の分解状態の支柱片の平面図である。
【図３】同実施形態に係わり、かつらスタンドの支柱の組立て前の分解状態の安定部材の平面図であり、（ａ）は第一の安定部材の平面図であり、（ｂ）は第二の安定部材の平面図である。
【図４】同実施形態に係わり、シリカゲルカートリッジの全体の概略構成を模式的に示す図である。
【図５】同実施形態に係わり、シリカゲルカートリッジの展開図である。
【図６】同実施形態に係わり、組立て後のかつらスタンド（但し、第一及び第二の安定部材は省略してある）の上部にシリカゲルカートリッジを取付ける様子を模式的に示す図である。
【図７】同実施形態に係わり、かつらスタンドが装着される台座及びかつらスタンドを収容するケース体を模式的に示す図である。
【考案を実施するための形態】
【００２８】
以下本考案の一実施形態につき、図を参照して説明する。
【００２９】
本実施形態に係わるかつらスタンド１０（本体）は、支柱を構成する２枚の支柱片１００，２００と、この支柱片１００，２００が組合されたときにその上部が第一の安定部材３００及び第二の安定部材４００とともにかつらが載置されるかつら受け部１２として機能構成されるものであって、吸湿機能及び脱臭機能を有するシリカ袋（袋体）６００を装着する吸湿脱臭カートリッジたるシリカゲルカートリッジ５００をかつら受け部１２に着脱自在に設けた構成としたことを特徴とするものである。また、かつらスタンド１０の下部（底辺部）には、脚片部１１０，１１０，２１０，２１０から成る脚部１４が設けられている。
【００３０】
即ち、かつらスタンド１０は、図１、図２、図３及び図６に示すように、例えば厚さ０．４ｍｍ〜０．６ｍｍ程度の反発性を有し折り曲げると強度が増す性質を有するポリプロピレン（ＰＰ）製の高さＨ（Ｈは底辺部１００ａ，２００ａから垂直方向へ最上端部までの高さ）の２枚の支柱片１００，２００同士を組合せることにより、組立てられるものである。本実施形態では、支柱片１００，２００並びに第一の安定部材３００及び第二の安定部材４００の厚さを０．４ｍｍ〜０．６ｍｍ程度にしてあるが、これに限定されることなく厚さを０．３ｍｍ、０．８ｍｍ或いは１．２ｍｍ程度といったように適宜変更してもよいことは勿論である。
【００３１】
支柱片（第一の支柱片）１００は中心線Ａ−Ａに対して線対称の形状であり、その上部１００ｂ側は緩やかな湾曲状（略半円形状または半楕円状）に形成され、中央部１００ｃの近傍は他の部位に比べて幅が狭くくびれ状に形成され、底辺部１００ａには外方へ指向する脚部１４たる脚片部１１０，１１０が形成されている。また、支柱片１００の上部中央部位には左右対称形状のカートリッジ用切欠き部１２０が形成されている。
【００３２】
さらに、支柱片１００の中央部位（図２中、中心線Ａ−Ａ上）の上部から垂直に下方（高さ０．５Ｈ程度の部位）にかけて第一の切込み部１３０が形成されている。また、第一の切込み部１３０の下方には、第一の係合片受け部１４０及び第二の係合片受け部１５０が支柱片１００の中央部位（図２中、中心線Ａ−Ａ上）から垂直に下方に夫々形成されている。
【００３３】
而して第一の切込み部１３０には、係合片１３２，１３４が設けられている。図２中、中心線Ａ−Ａに対して係合片１３２は左方向へ指向するように、係合片１３４は右方向へ指向するように設けられている。
【００３４】
また、支柱片１００のカートリッジ用切欠き部１２０の下方近傍には、切欠き状の第一の安定部材受け部１６０，１６０が形成されている。即ち、支柱片左部１００ｅ側に一つの第一の安定部材受け部１６０が、支柱片右部１００ｆ側に他の一つの第一の安定部材受け部１６０が形成されている。
【００３５】
さらに、安定部材受け部１６０，１６０の上方部位でカートリッジ用切欠き部１２０の上方近傍には、切欠き状の第二の安定部材受け部１７０，１７０が形成されている。即ち、支柱片左部１００ｅ側に一つの第二の安定部材受け部１７０が、支柱片右部１００ｆ側に他の一つの第二の安定部材受け部１７０が形成されている。
【００３６】
脚片部１１０，１１０には、その上部１１０ａ，１１０ａから内方へ指向する切欠き状の切欠き部１１２，１１２が形成されている。
【００３７】
他方の支柱片（第二の支柱片）２００はその外周形状及び大きさは支柱片１００と略同じであり、中心線Ｂ−Ｂに対して線対称の形状で、その上部２００ｂ側は緩やかな湾曲状（略半円形状または半楕円状）に形成され、中央部２００ｃの近傍は他の部位に比べて幅が狭くくびれ状に形成され、底辺部２００ａには外方へ指向する脚部１２たる脚片部２１０，２１０が形成されている。また、支柱片２００の上部中央部位には左右対称形状のカートリッジ用切欠き部２２０が形成されている。
【００３８】
さらに、支柱片２００の中央部位（図２中、中心線Ｂ−Ｂ上）の上部でカートリッジ用切欠き部２２０の下方近傍に垂直方向に下方へ向けて支柱片１００，２００の組立て時に係合片１３２が着脱自在に係合される第三の係合片受け部２３０が支柱片２００の中央部位（図２中、中心線Ｂ−Ｂ上）に垂直方向に形成されている。また、第三の係合片受け部２３０の下方には、支柱片１００，２００の組立て時に係合片１３４が着脱自在に係合される第四の係合片受け部２４０が支柱片２００の中央部位（図２中、中心線Ｂ−Ｂ上）に垂直方向に形成されている。
【００３９】
そして、第四の係合片受け部２４０の下方には、支柱片２００の中央部位（図２中、中心線Ｂ−Ｂ上）の下部から垂直に上方（高さ０．５Ｈ程度の部位）にかけて第二の切込み部２５０が形成されている。
【００４０】
而して第二の切込み部２５０には、係合片２６２，２６４が設けられている。図２中、中心線Ｂ−Ｂに対して係合片２６２は右方向へ指向するように、係合片２６４は左方向へ指向するように設けられている。ここで、係合片２６２は、支柱片１００，２００の組立て時は第一の係合片受け部１４０に着脱自在に係合されるものである。また、係合片２６４は、支柱片１００，２００の組立て時は第二の係合片受け部１５０に着脱自在に係合されるものである。
【００４１】
また、支柱片２００のカートリッジ用切欠き部２２０の下方近傍には、切欠き状の第一の安定部材受け部２６０，２６０が形成されている。即ち、支柱片左部２００ｅ側に一つの第一の安定部材受け部２６０が、支柱片右部２００ｆ側に他の一つの第一の安定部材受け部２６０が形成されている。
【００４２】
さらに、安定部材受け部２６０，２６０の上方部位でカートリッジ用切欠き部２２０の上方近傍には、切欠き状の第二の安定部材受け部２７０，２７０が形成されている。即ち、支柱片左部２００ｅ側に一つの第二の安定部材受け部２７０が、支柱片右部２００ｆ側に他の一つの第二の安定部材受け部２７０が形成されている。
【００４３】
脚片部２１０，２１０には、その上部２１０ａ，２１０ａから内方へ指向する切欠き状の切欠き部２１２，２１２が形成されている。
【００４４】
さて、第一の安定部材３００は、図３（ａ）に示すように内側に嵌合機構部３２０を形成した外観が円盤状のＰＰ製の安定部材である。即ち、第一の安定部材３００には十文字状の溝が穿設されており、その十文字上の頂点部分３２０ａ，３２０ａ，３２０ａ，３２０ａが第一の安定部材受け部１６０，１６０，２６０，２６０に嵌合する嵌合機構部３２０を形成している。なお、第一の安定部材３００の形状は円盤状に限らず他の形状、例えば外観が楕円形状であってもよい。
【００４５】
また、第一の安定部材３００には、その外周縁部近傍にストッパー受け部３４０及びカートリッジ取付け部３６０が設けられている。
【００４６】
第二の安定部材４００は、図３（ｂ）に示すように内側に嵌合機構部４２０，４２０，４２０，４２０を形成した外観が円盤状のＰＰ製の安定部材である。即ち、第二の安定部材４００には四つの溝部が放射状に穿設されており、各溝部が第二の安定部材受け部１７０，１７０，２７０，２７０に嵌合する嵌合機構部４２０，４２０，４２０，４２０を形成している。なお、第二の安定部材４００の形状は円盤状に限らず他の形状、例えば外観が楕円形状であってもよい。
【００４７】
また、第二の安定部材４００には、その外周縁部近傍にストッパー受け部４４０が穿設されている。さらに、第二の安定部材４００には、通気口部４６０が四つ形成されている。
【００４８】
シリカゲルカートリッジ５００は反発性及び柔軟性を有するＰＰ製で、吸湿機能及び脱臭機能を有するシリカゲルを内包するシリカ袋（袋体）６００を内側に着脱自在に装着可能としたものである。図４及び図５に示すように、シリカゲルカートリッジ５００は組立て時はシリカ袋６００を内部に収容する空洞な略長方体状を呈し、長手方向の両側面が開放状態で、短手方向の一方の側面部５００ａには取付け片５２０が一体的に形成されている。
【００４９】
ここで、取付け片５２０は、側面部５００ａ及び底面部５００ｂの一部を切り込むことにより形成されおり、側面部５００ａに形成された回動部５４０を介して回動自在となるよう構成されている。なお、回動部５４０の短手方向の縁には、カートリッジ取付け部３６０に嵌め込まれて吊架状態になる窪み部５４０ａが両側に形成されている。
【００５０】
なお、シリカゲルカートリッジ５００の上面部５００ｃ及び底面部５００ｂは、その四隅は角を丸くするＲ加工処理が施されている。また、上面部５００ｃ及び底面部５００ｂの長辺の四隅周辺部分は、隅に向かって僅かに傾斜状を呈するよう形成されている。このように加工処理・形成されることにより、支柱片１００，２００の組立て時にカートリッジ用切欠き部１２０，２２０にて形成される空間内へのシリカゲルカートリッジ５００の着脱操作、特にスライドさせて挿し込むことよる装着操作が円滑且つ確実に行えるものである。
【００５１】
また、取付け片５２０とは反対側の底面部５００ｂの短手方向の他方の側面部５００ｅには、側面形成用係合片５６０が一体的に形成されている。而して側面形成用係合片５６０は、上面部５００ｃ側に一体形成された側面部５００ｅに設けられた係合片受け部５８０に着脱自在に係合されるものである。ここで、側面形成用係合片５６０と係合片受け部５８０が係合状態にあるときは、シリカ袋６００が上面部５００ｃ、底面部５００ｂ及び側面部５００ａ，５００ｅにて収容されるようにしてシリカゲルカートリッジ５００内に装着されることになる。
【００５２】
さらに、上面部５００ｃ及び底面部５００ｂには、表面部側と裏面部側を貫通する角丸長方形状の通気口部５９０が複数穿設されている。通気口部５９０を角丸長方形状に形成することにより外部との接触抵抗を低減させられるので、前述同様カートリッジ用切欠き部１２０，２２０にて形成される空間内へのシリカゲルカートリッジ５００の着脱操作やシリカ袋６００の着脱操作が円滑且つ確実に行えるものである。なお、通気口部５９０の形状は角丸長方形に限らず、強度、通気性及び装着時の接触抵抗の低減を考慮し、他の種々の形状であってもよいことは勿論である。
【００５３】
続いて、かつらスタンド１０が設置・収容される台座７００及びケース８００について、図７を参照して説明する。
【００５４】
台座７００は、例えば厚さ１．０ｍｍ程度の１枚のＰＰ製の樹脂板から形成されており、スタンド受け機構部７２０が形成された六角形状の上面部７００ａは脚部１４の高さより数ｍｍ程度低い高さ（短辺部分）の六つの側面部７００ｂ及びケース取付け用ホック部７４０が設けられた底面部７００ｃとから構成されている。ここで、台座７００の高さを脚部１４の高さよりも数ｍｍ程度低くしているのは、かつらスタンド１０を台座７００に装着した際、台座７００の上面部７００ａが少し盛り上がり、かつらスタンド１０を押さえつける力が発生することにより、かつらスタンド１０の安定載置の向上を意図して構成したものである。
【００５５】
ケース８００は１枚のＰＰ製の樹脂板から形成されており、六角形状の上蓋８１０及び下蓋８２０並びに長方形状の六つの側面部８３０とから構成されている。なお、下蓋８２０には持ち運び用のハンドル８４０が設けられている。また、側面部８３０には、ケース取付け用ホック７４０が嵌め込まれるホック受け部８５０が設けられている。
【００５６】
上記構成につき、その作用を以下に説明する。
【００５７】
かつらスタンド１０の組立ては、先ず、支柱片１００と支柱片２００をクロスさせるように組合せる。
即ち、支柱片１００の第一の切込み部１３０に対して支柱片２００の第二の切込み部２５０を上方から下方に向けて十文字状にクロスするようにして降下させて、第一の切込み部１３０の最下端部と第二の切込み部２５０の最上端部とを当接させる。この後、係合片１３２を第三の係合片受け部２３０に、係合片１３４を第四の係合片受け部２４０に、係合片２６２を第一の係合片受け部１４０に、そして係合片２６４を第二の係合片受け部１５０に嵌め込んで係合状態にする。
【００５８】
次に、第一の安定部材３００を支柱片１００，２００の上方から下方へ降下させて嵌合機構部３２０の十文字上の頂点部分３２０ａを支柱片１００の第一の安定部材受け部１６０，１６０及び支柱片２００の第一の安定部材受け部２６０，２６０に嵌め込む。続いて、第二の安定部材４００を支柱片１００，２００の上方から下方へ降下させて、各嵌合機構部４２０を支柱片１００の第二の安定部材受け部１７０，１７０及び支柱片２００の第二の安定部材受け部２７０，２７０に夫々嵌め込む。
【００５９】
而して組立てられたかつらスタンド１０にシリカ袋６００を内包する二つのシリカゲルカートリッジ５００を取り付けるには、一方のシリカゲルカートリッジ５００の取付け片５２０を第一の安定部材３００のカートリッジ取付け部３６０に嵌め込むと、シリカゲルカートリッジ５００は第一の安定部材３００に吊架状態に装着されることになる。また、他方のシリカゲルカートリッジ５００をカートリッジ用切欠き部１２０，２２０にて形成される空間内に挿し込むと（図６中矢印Ｄ方向、即ち後方から手前方向）、シリカゲルカートリッジ５００はカートリッジ用切欠き部１２０，２２０にて挟持固定されるようにして装着されることになる。
【００６０】
斯様にして組立てられてシリカゲルカートリッジ５００，５００を装着したかつらスタンド１０にかつらを載置するには、例えばかつらの後頭部側が第一の安定部材３００のカートリッジ取付け部３６０に吊架状態に装着されたシリカゲルカートリッジ５００側に位置するよう載置すればよい。これにより、かつらに付着した脂分や汗或いは外部環境等による臭気や湿気は、吊架状態に装着されたシリカゲルカートリッジ５００及びカートリッジ用切欠き部１２０，２２０に装着されたシリカゲルカートリッジ５００の乾燥除湿機能及び脱臭機能により、解消されることになる。
【００６１】
しかも、第二の安定部材４００には通気口部４６０が形成されているので、載置されたかつらの内側であっても良好な通気性を得られ、効率的な乾燥除湿及び脱臭が期待できるものである。また、一方のシリカゲルカートリッジ５００は吊架状態にあるので、シリカ袋６００の表面積全体での効率的な乾燥除湿及び脱臭が期待できるものである。
【００６２】
さて、シリカ袋６００に内包されるシリカゲルには、吸着能力及び吸湿能力に限界があるので、乾燥除湿機能及び脱臭機能を維持するためには、定期的或いは状況をみてあらたなシリカ袋に交換する必要がある。この場合、かつらスタンド１０に装着されたシリカゲルカートリッジ５００をカートリッジ取付け部３６０やカートリッジ用切欠き部１２０，２２０から取り外し、係合片受け部５８０と側面形成用係合片５６０との係合状態を解いてあらたなシリカ袋に交換すればよいものである。或いは、係合状態を解かず、開放状態の長手方向の側面からシリカ袋６００を取り出してあらたなものと交換してもよい。即ち、図４中、矢印Ｃ方向へあらたなシリカ袋を挿入すればよい。
【００６３】
なお、かつらが載置されたかつらスタンド１０を保管したり携帯する場合、台座７００にかつらスタンド１０を設置してケース８００を被せればよい。即ち、脚片部１１０，１１０，１２０，１２０を台座７００のスタンド受け機構部７２０に挿し込めばかつらスタンド１０は台座７００に装着されることになる。そして、ケース８００を上方から下方に降下させ台座７００の側面外周に当接させて、台座７００の各ケース取付け用ホック部７４０をケース８００の各ホック受け部８５０に留めれば、かつらスタンド１０が収容され保管できるものである。また、携帯する場合は、ハンドル８４０を把持して持ち運べばよいものである。
【００６４】
台座７００及びケース８００内に収容されたかつらスタンド１０は、密閉空間に存することになるので、シリカゲルカートリッジ５００によるさらなる乾燥除湿効果及び脱臭効果を期待できるものである。
【００６５】
上記実施形態によれば、極めてシンプルな構造で取扱い性に優れ、携帯性及び保管性にも優れた乾燥除湿機能及び脱臭機能を備えたかつらスタンド１０を提供することができるものである。
また、上記実施形態によれば、シンプルな構造ゆえ経済性にも優れ、安価に乾燥除湿機能及び脱臭機能を備えたかつらスタンド１０を生産することができるものである。
【００６６】
さらに、上記実施形態によれば、かつらの形状に影響を及ぼすことなく安定してかつらを載置できるとともに、通気性もよく衛生面でも優れ、実用的で有用なものである。
【００６７】
シリカゲルカートリッジ５００のシリカ袋６００は安価で環境負荷がなく、適切に交換しさえすれば、安定した乾燥除湿効果及び脱臭効果を維持できるので、極めて有用なものである。
【００６８】
本考案は上記実施形態に限定されることなく、その趣旨を逸脱しない限り種々の変形が可能なことは勿論である。
【００６９】
例えば、かつらスタンドの形状は他の形状、例えば下記特許文献に開示されるかつらスタンドのような形状でもよく、勿論その他の形状であってもよい。また、吸湿機能及び脱臭機能を有する吸湿脱臭カートリッジは、シリカゲルに限らず他のものであってもよいことは勿論である。さらには、吸湿脱臭カートリッジの装着方法も上記実施形態に限定されず、かつらスタンドの他の部位に装着するようにしてもよく、また台座に嵌め込んだりケースに取り付けるようにしてもよいし、既存のかつらスタンドにも適用できるものである。
【００７０】
特許第５８３５６０５号公報
実用新案登録第３１８２１５１号公報
実用新案登録第３１８７２２４号公報
実用新案登録第３１９６９７３号公報
実用新案登録第３２０５７５３号公報
実用新案登録第３２０９１１７号公報
特開２０１８−９９２８６号公報
実用新案登録第３２２５３６５号公報
【産業上の利用可能性】
【００７１】
本考案のかつらスタンドは、従来に比べて著しくシンプルな構造で乾燥除湿機能及び脱臭機能を有するコンパクトなスタンドを実現することができ、しかも、組立て分解性及び携帯性に優れ且つ製造コストを低減することができるので、かつらや帽子などの変形し易い物だけでなく、様々な対象物のスタンドとして使用することができるため、ますます市場の拡大が期待できるものである。
【符号の説明】
【００７２】
１０                            …かつらスタンド（本体）
１２                            …かつら受け部
１４                            …脚部
１００                          …支柱片（第一の支柱片）
１１０，２１０                  …脚片部
１２０，２２０                  …カートリッジ用切欠き部
２００                          …支柱片（第二の支柱片）
３００                          …第一の安定部材
３６０                          …カートリッジ取付け部
４００                          …第二の安定部材
４６０                          …通気口部
５００                          …シリカゲルカートリッジ
５２０                          …取付け片
５６０                          …側面形成用係合片
５８０                          …係合片受け部
５９０                          …通気口部
６００                          …シリカ袋（袋体）
７００                          …台座
８００                          …ケース
【図１】
0003226393.tif 000003
【図２】
0003226393.tif 000004
【図３】
0003226393.tif 000005
【図４】
0003226393.tif 000006
【図５】
0003226393.tif 000007
【図６】
0003226393.tif 000008
【図７】
0003226393.tif 000009